(57)【要約】【課題】本発明は、携帯電話等の通信装置に必ず備えられている電池パックの上にアンテナ装置を配置し、どのような携帯電話においても同一形状でしかも小型で低コストのアンテナ装置を提供することを目的とする。【解決手段】本発明は、電池を収容する金属性の電池パック６と、電池パック６上に形成された磁性体３と、磁性体３に巻装されたコイル２とを備え、電池パック６の表面に生じる渦電流を得ることにより電池パック６上のコイル２を利用して通信を行う。【選択図】図２
2010109674.tif 000002
【特許請求の範囲】
【請求項１】
電池を収容する金属性の電池パックと、前記電池パック上に形成された磁性体と、前記磁性体に巻装されたコイルとを備え、前記電池パックの表面に生じる渦電流を得ることにより前記電池パック上のコイルを利用して通信を行うことを特徴とするアンテナ装置。
【請求項２】
前記磁性体に巻装されたコイルを前記電池パックの表面上に複数個、設置することを特徴とする請求項１記載のアンテナ装置。
【請求項３】
前記電池パックの表面上を銅箔で覆うことを特徴とする請求項１記載のアンテナ装置。
【請求項４】
前記コイルは前記電池パックの端部に設置されることを特徴とする請求項２記載のアンテナ装置。
【発明の詳細な説明】
【技術分野】
【０００１】
本発明は、ＲＦ−ＩＤ、即ちＩＣカードやＩＣタグなどの無線通信媒体との通信を行う無線通信媒体処理装置、あるいは無線通信媒体そのものに用いられるアンテナ装置であり、電磁誘導方式、マイクロ波方式での通信性を向上させると共に、薄くて低コストのアンテナ装置に関するものである。
【背景技術】
【０００２】
従来、ＲＦ−ＩＤ、即ち非接触型ＩＣカードやＩＣタグにおいて、例えば図４で示すようにループアンテナ１０１に外部装置であるリーダ・ライター（以下、Ｒ／Ｗと記す）からの磁束を通過させて、ループアンテナ１０１に電流を発生させ、ループアンテナ１０１に発生する電流を変調させることで、Ｒ／Ｗとアンテナ装置１００との間で通信をおこなっていた（例えば特許文献１参照）。
【特許文献１】特開２００５−２１０２１３号公報
【発明の開示】
【発明が解決しようとする課題】
【０００３】
しかし、アンテナ装置を小型にする場合には、アンテナをチップ化する必要があり、アンテナをチップ化するときには、磁性シート上にコイルを巻装してチップアンテナを公正している。そして、チップアンテナの下部に、送受信する信号のレベルを上げるために背面金属板を設置する必要がある。しかしながら、携帯電話等の小型の通信装置に設置する際には、チップアンテナを組み込む携帯電話等の形状あるいは回路配置に応じて、様々にチップアンテナの形状を変化させなければならず、同時に下部に設置する金属板の形状も設置するチップアンテナの形状に合わせて、変える必要があった。この結果、チップアンテナが少量多品種になってしまい、チップアンテナの低コスト化が困難であった。
【０００４】
本発明は、上記の問題に鑑み、電磁誘導方式やマイクロ波方式を用いて通信を行う小型のアンテナ装置において、どのような形状の通信装置においても同一形状でしかも小型のアンテナ装置を提供し、さらに、低コストのアンテナ装置を提供することを目的とする。
【課題を解決するための手段】
【０００５】
以上の目的を達成するために、本発明は、電池を収容する金属性の電池パックと、前記電池パック上に形成された磁性体と、前記磁性体に巻装されたコイルとを備え、前記電池パックの表面に生じる渦電流を得ることにより前記電池パック上のコイルを利用して通信を行うようにしたものである。
【発明の効果】
【０００６】
本発明によれば、携帯電話等の通信装置に必ず備えられている電池パックの上にアンテナ装置を配置することから、どのような携帯電話においても同一形状でしかも小型で低コストのアンテナ装置を提供することができる（電池パックの形状は規格で統一化されている）。また、携帯電話の電池パックの表面に複数のアンテナ装置を配置することにより、電池パック表面に発生する渦電流を効率よくピックアップすることができ、アンテナ装置の通信特性を非常に容易に改善することができる。
【０００７】
さらには、携帯電話の電池パックの表面を銅箔で覆うことにより、効率よく電池パック表面に渦電流を発生させることができることから、アンテナ装置の通信特性を改善する効果が得られる。
【発明を実施するための最良の形態】
【０００８】
本発明の請求項１に記載の発明によれば、電池を収容する金属性の電池パックと、前記電池パック上に形成された磁性体と、前記磁性体に巻装されたコイルとを備え、前記電池パックの表面に生じる渦電流を得ることにより前記電池パック上のコイルを利用して通信を行うものである。
【０００９】
また、本発明の請求項２に記載の発明によれば、前記磁性体に巻装されたコイルを前記電池パックの表面上に複数個、設置するようにしたものである。これにより、電池パック表面に発生する渦電流を効率よくピックアップすることができ、アンテナ装置の通信特性を容易に改善することができる。
【００１０】
また、本発明の請求項３に記載の発明によれば、前記電池パックの表面上を銅箔で覆うようにしたものである。これにより、電池パックの表面を銅箔で覆うことにより、効率よく電池パック表面に渦電流を発生させることができることから、アンテナ装置の通信特性を改善する効果が得られる。
【００１１】
さらに、本発明の請求項４に記載の発明によれば、前記コイルは前記電池パックの端部に設置されるようにしたものである。これにより、端部に渦電流は中央部よりも強く発生するので、アンテナ装置の通信特性を効率的に改善することができる。
【実施例】
【００１２】
以下、本発明の実施例について図面を用いて説明する。
【００１３】
まず、本発明のアンテナ装置１の構成、形状について説明する。図１は、本発明の実施例におけるアンテナ装置１の構成図である。
【００１４】
図１に表されたアンテナ装置１は、磁性体２の上にコイル３がスパイラル状に巻かれているアンテナ素子が２つ形成されており、これら２つのアンテナ素子は電気的に接続され、全体としてアンテナ部４を形成している。
【００１５】
アンテナ部４の背面には携帯電話の電池パック６があり、通信端末に必要な電源を供給する電池を収容する。５はアンテナ部４を接続する導線である。
【００１６】
電池パック６の上に発生する渦電流を効率よくピックアップできる位置にアンテナ素子が配置されている。本実施例では、電池パック６の端部にアンテナ部４を形成しているが、渦電流は金属体の中央部よりも端部のほうが強く発生するためである。
【００１７】
このアンテナ装置１のアンテナ部４の両端子にはチップコンデンサー７があり、アンテナ装置１の共振周波数を所定の周波数（１３．５６ＭＨｚ）に合わせこんでいる。この値は規格で定められた値であり、上記値の近傍値を共振周波数としなければならない。
【００１８】
さらに、各部について詳しく説明する。
【００１９】
まず、磁性体２とコイル３からなるアンテナ部４について説明する。
【００２０】
アンテナ部４は、図１に示されているように磁性体２上にコイル３をスパイラル状に巻きつけることで形成される。スパイラルの構造としては、その形状は円形または略矩形または多角形のいずれであってもよい。スパイラル構造とすることで、Ｒ／Ｗからの磁束１０を十分に得ることができて、誘導電力の発生と相互インダクタンスによる無線通信媒体と無線通信媒体処理装置との通信を可能とするものである。また、アンテナ部４は２つ以上のアンテナ素子を組合わせたものであってもよく、アンテナ素子が増えれば携帯電話の電池パック６の上に生じる渦電流をピックアップし易くなり、アンテナ装置１の通信特性が向上する。
【００２１】
さらに、アンテナの材質としては、金、銀、銅、アルミ、ニッケル等の導電性の金属製線材、金属製板材、金属製箔材、または金属製筒材等から適宜選択することができ、金属線、金属箔、導電性ペースト、めっき転写、スパッタ、蒸着、もしくは、スクリーン印刷により形成してもよい。
【００２２】
次に、磁性体２について説明する。
【００２３】
磁性材は、フェライトやパーマロイ、センダスト、珪素合板等の金属材料で構成される。
【００２４】
磁性材としては、軟磁性フェライトが好ましく、フェライト粉体を乾式プレス成形し、焼成することにより焼成体、高密度のフェライト焼成体とすることができ、軟磁性フェライトの密度が３．５ｇ／ｃｍ3以上であることが好ましい。さらに軟磁性フェライトの磁性体２の大きさが、結晶粒界以上であることが好ましい。また磁性体２は、３×３×１０ｍｍ程度の大きさで成形される棒状または層状のものである。
【００２５】
軟磁性フェライトとしては、Ｎｉ−ＺｎＯ3、ＺｎＯ、ＮｉＯ、ＣｕＯ、または、Ｆｅ2Ｏ3、ＺｎＯ、ＭｎＯ、ＣｕＯからなっていてもよい。さらにアモルファス合金、パーマロイ、電磁鋼、珪素鉄、Ｆｅ−Ａｌ合金、センダスト合金のいずれかの磁性体２の単層であってもよく、フェライト、アモルファス箔、パーマロイ、電磁鋼、センダストの積層体であってもよく、また、様々な磁性体２を組み合わせた積層体であってもよい。磁性材を積層する際には、樹脂、紫外線硬化型樹脂、可視光硬化型樹脂、熱可塑性樹脂、熱硬化性樹脂、耐熱性樹脂、合成ゴム、両面テープ、粘着層、またはフィルムの少なくとも１つの手段により、磁性材が接着され積層構造となる。
【００２６】
さらに本発明の磁性体２は、フェライト、アモルファス合金、パーマロイ、電磁鋼、珪素鉄、Ｆｅ−Ａｌ合金、センダスト合金の単体、または積層体を樹脂、紫外線硬化型樹脂、可視光硬化型樹脂、熱可塑性樹脂、熱硬化性樹脂、耐熱性樹脂、合成ゴム、両面テープ、粘着層、またはフィルムの少なくとも１つの手段によりコーティングをおこなったものでもよい。
【００２７】
本発明の磁性体２は、単層、多層構造、または固片からなり、樹脂、紫外線硬化型樹脂、可視光硬化型樹脂、熱可塑性樹脂、熱硬化性樹脂、耐熱性樹脂、合成ゴム、両面テープ、粘着層、またはフィルムの少なくとも１つの手段によりコーティングを行うことで、柔軟性が高くて耐久性に優れる上、表面抵抗が高く、表面にアンテナ印刷やめっきなどによる回路形成を行うことが容易である。
【００２８】
本実施例における磁性体２は、Ｎｉ−Ｚｎ系フェライトまたは、Ｍｎ−Ｚｎ系フェライト材を８００℃〜１０００℃で焼成したものである。
【００２９】
さらに、磁性体２の形状としては、略三角柱、略四角柱、略円柱、略球等の形状で構成されていてもよい。
【００３０】
次に、導線５について説明する。
【００３１】
導線５は、図２に示されているようにアンテナ素子とをつないでおり、材料としては導電性があるものであればよく、導線５の材質としては、金、銀、銅、アルミ、ニッケル等の導電性の金属製線材、金属製板材、金属製箔材、または金属製筒材等から適宜選択することができ、金属線、金属箔、導電性ペースト、めっき転写、スパッタ、蒸着、もしくは、スクリーン印刷により形成してもよい。
【００３２】
次に、電池パック６について説明する。
【００３３】
電池パック６は、図２に示されているようにアンテナ装置１の背面にくるように設置され、携帯電話において電池パック６を設置する位置および電池パック６の大きさはほぼ固定されている。このことから、電池パック６の上に発生する渦電流をピックアップして通信を行う本発明によるアンテナ装置１では、どのような携帯電話においても同一形状のアンテナ装置１を作製することができる。
【００３４】
また、さらにアンテナ装置１の性能を向上させたい時には、電池パック６の表面に導電性のよい銅箔等を貼り付けてもよい。
【００３５】
次に、チップコンデンサー７について説明する。
【００３６】
チップコンデンサー７は、図２に示されているようにループアンテナ２の終端に実装されており、チップコンデンサー７の静電容量値を変えることでアンテナ装置１の共振周波数の共振点を変化させることができる。チップコンデンサー７は通常１００５サイズのものが用いられ、周囲環境により共振周波数が変動する可能性があるため、環境温度に対する静電容量値の変化が少ないものが選択される。
【００３７】
上記内容の構成によりアンテナ装置１は形成される。
【００３８】
また、アンテナ装置１を携帯電話等の小型端末に搭載する際には、アンテナ部４が形成されたアンテナ装置１に両面テープ、接着剤、粘着層、または樹脂等を塗布することで携帯端末の必要な箇所に貼り付ける。
【００３９】
図２は、アンテナ装置１と周辺回路を接続した状態を示す図である。同一番号を付したものは図１で説明した構成と同じものを示す。図２において、８は整流回路であり、９はメインチップである。整流回路８はアンテナ装置１とメインチップ１とのインピーダンスの整合を得るためのものであり、メインチップ９は送受信信号を処理するものである。
【００４０】
従来のアンテナ装置では、Ｒ／Ｗから発せられる磁束をアンテナ装置のコイルにて捕捉し、コイル上に電流を生じさせることで通信をおこなっていた。
【００４１】
一方、本発明のアンテナ装置１においては、図３に示されるようにＲ／Ｗから発せられる磁束１０（図３［１］参照）を携帯電話等の通信装置内に備えられている電池パック６で磁束１０を受ける。この結果、電池パック６の表面に反磁界が発生し、これにより渦電流１１が生じる（図３［２］参照）、この渦電流１１を本発明のアンテナ装置１にてピックアップすることにより通信を行う（図３［３］参照）。これを可能にしたのは、電池パック６を上記説明したように金属で構成したためである。
【００４２】
携帯電話の電池パック６は、ほぼ大きさおよび形状が規格で定められており、固定されていることから、本発明のアンテナ装置１の形状も一定にすることができる。この結果、少量多品種のアンテナ装置１を製造する必要がなくなることから、アンテナ装置１を低コストにすることができる。
【００４３】
また、磁性体２にコイル３を巻くだけの構造でアンテナ装置１になる為、小型で安価なアンテナ装置１を提供することが可能となる。
【００４４】
さらにアンテナ装置１の性能を上げたい場合は、電池パック６上のアンテナ素子を増やしたり、電池パック６の表面を銅箔で覆うことで可能であるので、容易にアンテナ装置１の性能を向上させることができる。
【産業上の利用可能性】
【００４５】
本発明のアンテナ装置は、商品棚などに収納される非接触ＩＣカードやＩＣタグなどの無線通信媒体に電力と送信データを供給し、無線通信媒体から受信データを負荷変動により取得する無線通信媒体処理装置であって、特に自動で商品管理、書籍管理等が可能となる収納棚、展示棚以外の医薬品管理、危険物管理、貴重品管理システム等々などの、通信範囲を拡大させることが必要な用途にも適用できる。
【図面の簡単な説明】
【００４６】
【図１】本発明の実施例におけるアンテナ装置の構成図
【図２】本発明の実施例におけるアンテナ装置と周辺回路を示す図
【図３】本発明の実施例におけるアンテナ装置の動作原理図
【図４】従来の技術におけるアンテナ装置の上面図
【符号の説明】
【００４７】
１    アンテナ装置
２    磁性体
３    コイル
４    アンテナ部
５    導線
６    電池パック
７    チップコンデンサー
８    整合回路
９    メインチップ
１００    アンテナ装置
１０１    ループアンテナ
【図１】
2010109674.tif 000003
【図２】
2010109674.tif 000004
【図３】
2010109674.tif 000005
【図４】
2010109674.tif 000006